(57)【要約】【課題】外観を損なうことなく、２枚のプリント基板をネジ、スタッド等を使用せずに容易にケース、カバーに固定することができる電子機器を実現する。【解決手段】電子部品を実装した第１及び第２のプリント基板を対面させて配置し、ケース及びカバーとで内部に収容する電子機器に関する。ケースの内側面に設けられ、第１のプリント基板を支持する第１リブと、ケースの内側面に設けられ、第２のプリント基板を支持する第２リブと、カバーの内側面に設けられ、第１のプリント基板を第１リブとで挟持する第３リブと、カバーの内側面に設けられ、第２のプリント基板を第２リブとで挟持する第４リブとを設けた。【選択図】図１
2009260051.tif 000002
【特許請求の範囲】
【請求項１】
電子部品を実装した第１及び第２のプリント基板を対面させて配置し、ケース及びカバーとで内部に収容する電子機器であって、
前記ケースの内側面に設けられ、前記第１のプリント基板を支持する第１リブと、
前記ケースの内側面に設けられ、前記第２のプリント基板を支持する第２リブと、
前記カバーの内側面に設けられ、前記第１のプリント基板を前記第１リブとで挟持する第３リブと、
前記カバーの内側面に設けられ、前記第２のプリント基板を前記第２リブとで挟持する第４リブと、
を有することを特徴とする電子機器。
【請求項２】
前記第１のプリント基板は、前記第２リブを避けるための切り欠き部を有することを特徴とする請求項１記載の電子機器。
【請求項３】
前記第１のプリント基板は、該第１のプリント基板の切り欠き部が、前記第２リブと係合することにより位置決めされることを特徴とする請求項２記載の電子機器。
【請求項４】
前記第２のプリント基板は、前記第３リブを避けるための切り欠き部を有することを特徴とする請求項１乃至３のいずれかに記載の電子機器。
【請求項５】
前記第２のプリント基板は、該第２のプリント基板の切り欠き部が、前記第３リブと係合することにより位置決めされることを特徴とする請求項４記載の電子機器。
【請求項６】
前記第１リブ及び第２リブは、前記ケースと一体成型され、前記第３リブ及び第４リブは、前記カバーと一体成型されていることを特徴とする請求項１乃至５のいずれかに記載の電子機器。
【発明の詳細な説明】
【技術分野】
【０００１】
本発明は、電子部品を実装した第１及び第２のプリント基板を、ケース及びカバーとで内部に収容する電子機器に関し、特に内蔵されるプリント基板の固定構造に関するものである。
【背景技術】
【０００２】
センサやバルブ等のフィールド機器との信号の入出力を行う制御装置（電子機器）では、対面する２枚のプリント基板をコネクタによって接続し、その基板アセンブリをケースとカバーに取り付ける構成が多くとられている。
【０００３】
図２は従来のプリント基板の固定方法の説明図である。
下側プリント基板１と上側プリント基板２は、ジャンパーや、コネクタのピンを半田付け接続したり、接続用コネクタを嵌合させることで電気的に接続されるとともに、下側プリント基板１と上側プリント基板２は固定される。
【０００４】
下側プリント基板１と上側プリント基板２のケース１１、カバー１２への固定は、下側プリント基板１を固定することにより行われる。
下側プリント基板１には突部１ａ（４箇所）があり、この突部１ａがケース１１の溝部１１ａ（４箇所）に位置する。下側プリント基板１の突部１ａがケース１１の溝部１１ａに収まるように下側プリント基板１を配置し、カバー１２をケース１１に嵌めることで、下側プリント基板１の突部１ａがカバー１２とケース１１間の溝部１１ａに挟まり、下側プリント基板１がケース１１、カバー１２に固定される。
【０００５】
【特許文献１】特開平７−１０４６８０号公報
【発明の開示】
【発明が解決しようとする課題】
【０００６】
下側プリント基板と上側プリント基板を固定する際に、ジャンパー等で半田付け接続する構成では、半田付けの工数が発生して組み立ての作業性が悪化してしまうとともに、組み立てた後の分離が困難となる。
【０００７】
また、プリント基板の突部をケースとカバー間の溝部に挟んでプリント基板を固定する構成では、プリント基板の端面が製品表面に見えてしまい、外観を損なうという問題点があった。
【０００８】
本発明は上述した問題点を解決するためになされたものであり、外観を損なうことなく、２枚のプリント基板をネジ、スタッド等を使用せずに容易にケース、カバーに固定することができる電子機器を実現することを目的とする。
【課題を解決するための手段】
【０００９】
このような課題を達成するために、本発明は次のとおりの構成になっている。
（１）電子部品を実装した第１及び第２のプリント基板を対面させて配置し、ケース及びカバーとで内部に収容する電子機器であって、
前記ケースの内側面に設けられ、前記第１のプリント基板を支持する第１リブと、
前記ケースの内側面に設けられ、前記第２のプリント基板を支持する第２リブと、
前記カバーの内側面に設けられ、前記第１のプリント基板を前記第１リブとで挟持する第３リブと、
前記カバーの内側面に設けられ、前記第２のプリント基板を前記第２リブとで挟持する第４リブと、
を有することを特徴とする電子機器。
【００１０】
（２）前記第１のプリント基板は、前記第２リブを避けるための切り欠き部を有することを特徴とする（１）記載の電子機器。
【００１１】
（３）前記第１のプリント基板は、該第１のプリント基板の切り欠き部が、前記第２リブと係合することにより位置決めされることを特徴とする（２）記載の電子機器。
【００１２】
（４）前記第２のプリント基板は、前記第３リブを避けるための切り欠き部を有することを特徴とする（１）乃至（３）のいずれかに記載の電子機器。
【００１３】
（５）前記第２のプリント基板は、該第２のプリント基板の切り欠き部が、前記第３リブと係合することにより位置決めされることを特徴とする（４）記載の電子機器。
【００１４】
（６）前記第１リブ及び第２リブは、前記ケースと一体成型され、前記第３リブ及び第４リブは、前記カバーと一体成型されていることを特徴とする（１）乃至（５）のいずれかに記載の電子機器。
【発明の効果】
【００１５】
本発明によれば次のような効果がある。
ケース及びカバーの内側面に設けたリブにより２枚のプリント基板をそれぞれ固定するようにしたので、外観を損なうことなく、２枚のプリント基板を容易に固定することができる。
【発明を実施するための最良の形態】
【００１６】
以下、図面を用いて本発明を詳細に説明する。
図１は本発明の一実施例を示す構成図である。
図１（ａ）は組み立て図を示しており、図１（ｂ）は図１（ａ）のカバーを裏側から見た図である。
第１のプリント基板２１と第２のプリント基板２２には電子部品（図示せず）が実装され、接続用コネクタを嵌合させることにより電気的に接続される。また、これにより第１のプリント基板２１と第２のプリント基板２２の位置関係が決まる。ここでは、第１のプリント基板２１に表面実装タイプのコネクタＣＮ１を実装した例を示している。
【００１７】
第１のプリント基板２１は、切り欠き部Ｃ１ａ，Ｃ１ｂ，Ｃ１ｃ，Ｃ１ｄ，Ｃ１ｅを有している。第２のプリント基板２２は、切り欠き部Ｃ２ｅを有している。第２のプリント基板２２は第１のプリント基板２１とはサイズが異なり、第１のプリント基板２１のＡ部に相当する部分がなく、一種の切り欠き部（Ｂ部）を構成している。なお、ここでは説明のため、切り欠き部の一部にのみ符号を付している。
【００１８】
ケース３１の内側面には、第１リブＲ１ａ，Ｒ１ｂ，Ｒ１ｃ，Ｒ１ｄと、第２リブＲ２ａ，Ｒ２ｂ，Ｒ２ｃ，Ｒ２ｄ，Ｒ２ｅが設けられている。カバー３２の内側面には、第３リブＲ３ａ，Ｒ３ｂ，Ｒ３ｅと、第４リブＲ４ｂ，Ｒ４ｅが設けられている。なお、ここでは説明のため、第１乃至第４リブの一部にのみ符号を付している。
【００１９】
リブは、例えば第３リブＲ３ｅと第４リブＲ４ｅのように、１つのリブで一体的に構成してもよいし、例えば第１リブＲ１ｃと第２リブＲ２ｃのように、別々のリブで構成してもよい。
また、第１乃至第４リブの各位置は、ケース３１にカバー３２を嵌め込んだ際に、第１リブと第３リブが全体として第１のプリント基板２１を両側から固定でき、第２リブと第４リブが全体として第２のプリント基板２２を両側から固定できる位置に配置されていればよい。
【００２０】
ケース３１，カバー３２は、ポリカーボネートやＡＢＳ樹脂等の樹脂を金型によりそれぞれ成型している。第１リブ、第２リブをケース３１と、第３リブ、第４リブをカバー３２と一体に成型しているので、スタッド等の別部品が不要となり、材料費や、組み立て工数等を削減することができる。
【００２１】
次に、第１のプリント基板２１と第２のプリント基板２２のケース３１、カバー３２への取り付けについて説明する。
ケース３１の第１リブＲ１ａ，Ｒ１ｂ，Ｒ１ｃ，Ｒ１ｄに第１のプリント基板２１を置く。この際、第１のプリント基板２１の切り欠き部Ｃ１ａ，Ｃ１ｂ，Ｃ１ｃ，Ｃ１ｄ，Ｃ１ｅは、それぞれケース３１の第２リブＲ２ａ，Ｒ２ｂ，Ｒ２ｃ，Ｒ２ｄ，Ｒ２ｅを避け、第１のプリント基板２１の下面が第１リブＲ１ａ，Ｒ１ｂ，Ｒ１ｃ，Ｒ１ｄと接触して第１のプリント基板２１を支持するとともに、第１のプリント基板２１の垂直方向の位置が決まる。
【００２２】
第１のプリント基板２１の切り欠き部Ｃ１ａ，Ｃ１ｂ，Ｃ１ｃ，Ｃ１ｄ，Ｃ１ｅに、ケース３１の第２リブＲ２ａ，Ｒ２ｂ，Ｒ２ｃ，Ｒ２ｄ，Ｒ２ｅが、ぴったりと嵌るように、それぞれの形状、サイズを決めることで、第１のプリント基板２１の水平方向の位置が固定される。
なお、ここでいう垂直方向、水平方向とは、図１（ａ）の組み立て図に対する方向を示している。
【００２３】
第２のプリント基板２２のコネクタ（図１上は隠れて見えない）は、第１のプリント基板２１のコネクタＣＮ１と嵌合し、第２のプリント基板２２が第１のプリント基板２１の上側に実装される。
第２のプリント基板２２の下面がケース３１の第２リブＲ２ａ，Ｒ２ｂ，Ｒ２ｃ，Ｒ２ｄ，Ｒ２ｅと接触して第２のプリント基板２２を支持するとともに、第２のプリント基板２２の垂直方向の位置が決まる。
【００２４】
ケース３１の穴３１ａ，３１ｂ，３１ｃにカバー３２のツメ３２ａ，３２ｂ，３２ｃをそれぞれ嵌め込むことでケース３１にカバー３２が固定される。なお、ここでは説明のため、ケース３１の穴とカバー３２のツメの一部にのみ符号を付している。
【００２５】
この際、第２のプリント基板２２のＢ部は一種の切り欠き部を構成し、カバー３２の第３リブＲ３ａ，Ｒ３ｂを避け、第１のプリント基板２１の上面が第３リブＲ３ａ，Ｒ３ｂと接触する。また、第２のプリント基板２２の切り欠き部Ｃ２ｅは、カバー３２の第３リブＲ３ｅを避け、第１のプリント基板２１の上面が第３リブＲ３ｅと接触する。これにより、第１のプリント基板２１は、下面に接触する第１リブＲ１ａ，Ｒ１ｂ，Ｒ１ｃ，Ｒ１ｄと、上面に接触する第３リブＲ３ａ，Ｒ３ｂ，Ｒ３ｅで挟まれ、しっかりとケース３１とカバー３２に固定される。
【００２６】
また、カバー３２の第４リブＲ４ｂ，Ｒ４ｅが第２のプリント基板２２の上面と接触する。これにより、第２のプリント基板２２は、下面に接触する第２リブＲ２ａ，Ｒ２ｂ，Ｒ２ｃ，Ｒ２ｄ，Ｒ２ｅと、上面に接触する第４リブＲ４ｂ，Ｒ４ｅで挟まれ、しっかりとケース３１とカバー３２に固定される。
【００２７】
本発明では、ケースとカバーの内側面に設けたリブを利用して２枚のプリント基板をそれぞれ固定するようにしたので、外観を損なうことがない。
また、プリント基板の下面と上面をリブにより挟んで固定するので、スタッドやネジなしで２枚のプリント基板を容易に、かつ、しっかりと固定することができ、電子機器の組み立て性を向上させることができる。また、ネジ止めや半田付けによる固定がないので、メンテナンス等で必要な際には容易に分解することもできる。
【図面の簡単な説明】
【００２８】
【図１】本発明の一実施例を示す構成図である。
【図２】従来のプリント基板の固定方法の説明図である。
【符号の説明】
【００２９】
２１  第１のプリント基板
２２  第２のプリント基板
３１  ケース
３２  カバー
Ｃ１ａ，Ｃ１ｂ，Ｃ１ｃ，Ｃ１ｄ，Ｃ１ｅ  切り欠き部
Ｒ１ａ，Ｒ１ｂ，Ｒ１ｃ，Ｒ１ｄ  第１リブ
Ｒ２ａ，Ｒ２ｂ，Ｒ２ｃ，Ｒ２ｄ，Ｒ２ｅ  第２リブ
Ｒ３ａ，Ｒ３ｂ，Ｒ３ｅ  第３リブ
Ｒ４ｂ，Ｒ４ｅ  第４リブ
【図１】
2009260051.tif 000003
【図２】
2009260051.tif 000004